(57)【要約】【課題】  セルを解体する作業を簡素化できるセル解体装置を提供する。【解決手段】  Ｘ線透過性を有するフィルム３２が液状の試料Ｓを収容する試料室３ａの少なくとも一部を形成する蛍光Ｘ線分析装置のセル３を、解体するためのセル解体装置１であって、フィルム３２を下方側に向けた状態でセル３を保持する保持部１１と、セル３が保持部１１で保持される際にフィルム３２を切断する刃部１２１と、刃部１２１よりも下方側に配置され、切断されたフィルム３２から流下する試料Ｓを受ける試料受部１３とを備えることを特徴とする。【選択図】  図２
2010256202.tif 000002
【特許請求の範囲】
【請求項１】
Ｘ線透過性を有するフィルムが液状の試料を収容する試料室の少なくとも一部を形成する蛍光Ｘ線分析装置のセルを、解体するためのセル解体装置であって、
フィルムを下方側に向けた状態でセルを保持する保持部と、セルが保持部で保持される際にフィルムを切断する刃部と、刃部よりも下方側に配置され、切断されたフィルムから流下する試料を受ける試料受部とを備えることを特徴とするセル解体装置。
【請求項２】
保持部は、セルを下方側から支持する支持部と、支持されたセルが側方に移動するのを防止すべく、セルを側方側から係止する係止部とを備える請求項１に記載のセル解体装置。
【請求項３】
刃部は、切断されたフィルムの一部が下方側に向けて垂れるべく、有端であって、且つ湾曲状又は屈曲状に形成される請求項１又は２に記載のセル解体装置。
【発明の詳細な説明】
【技術分野】
【０００１】
本発明は、液状の試料を収容する蛍光Ｘ線分析装置用セルを解体するためのセル解体装置に関する。
【背景技術】
【０００２】
図１３（ａ）に示すように、蛍光Ｘ線分析装置２は、液状（液体）の試料Ｓを収容するセル（「試料セル」ともいう）３を固定し、Ｘ線源２１により、試料室３ａ内の試料Ｓに向けてＸ線を照射し、検出器２２により、試料Ｓから発生する蛍光Ｘ線を検出して、試料Ｓ中の所定元素（例えば、軽油中の硫黄）を分析する。
【０００３】
そして、従来、蛍光Ｘ線分析装置のセル３として、図１３（ａ）及び（ｂ）に示すように、Ｘ線透過性を有するフィルム３１で試料室３ａの一部を形成するセル３が知られている（例えば、特許文献１）。具体的には、セル３は、２枚のフィルム３１，３２と、筒状に形成されるセル本体３３と、セル本体３３とによりフィルム３１，３２を挟んで固定する筒状のフィルム固定体３４とを備える。
【０００４】
一方のフィルム（以下、「第１フィルム」ともいう）３１は、試料Ｓを収容すべく、セル本体３３の内部で凹状にされる一方、他方のフィルム（以下、「第２フィルム」ともいう）３２は、平面状に張った状態で、セル本体３３の一端を覆っている。そして、各フィルム３１，３２は、外周部がセル本体３３とフィルム固定体３４とに挟持されて固定される。また、各フィルム３１，３２は、ポリエステル、ポリプロピレン、ポリエチレンテレフタレートといった樹脂材料で形成されている。
【０００５】
セル本体３３は、フィルム固定体３４に外嵌される。そして、セル本体３３は、外周部に、フィルム固定体３４と係合する凹状の係合部３３１を備える。また、セル本体３３は、開口が一端側に向けて拡がるように、テーパ部３３２を備える。なお、セル本体３３は、プラスチック等の樹脂材料で形成されている。
【０００６】
フィルム固定体３４は、一端側の内周部に、セル本体３３の係合部３３１と係合する凸状の係合部３４１を備える。また、フィルム固定体３４は、他端側の外周部に、凸状のフランジ部３４２を備える。なお、フィルム固定体３４は、プラスチック等の樹脂材料で形成されている。
【先行技術文献】
【特許文献】
【０００７】
【特許文献１】特開平７−１３４０８２号公報
【発明の概要】
【発明が解決しようとする課題】
【０００８】
ところで、一般的に分析される試料Ｓは、原油や重油等であるため、廃棄物処理に関わる法律等により、多くの場合に、しかるべき廃棄処理を行う必要がある。そのため、試料Ｓの分析が終了し、上記セル３を解体するには、セル３（フィルム３１，３２）から試料Ｓを分離して分別廃棄（分別処理）させる必要がある。
【０００９】
そして、フィルム３１，３２をセル本体３３から分離したり、フィルム３１，３２から試料Ｓを分離したりする際に、作業者の手や作業周辺を試料Ｓで汚染させることがあり、また、その汚染を防止するには、斯かる作業を慎重に行う必要がある。このように、セル３を解体する作業が非常に煩雑なものであった。
【００１０】
よって、本発明は、かかる事情に鑑み、セルを解体する作業を簡素化できるセル解体装置を提供することを課題とする。
【課題を解決するための手段】
【００１１】
本発明に係るセル解体装置は、Ｘ線透過性を有するフィルムが液状の試料を収容する試料室の少なくとも一部を形成する蛍光Ｘ線分析装置のセルを、解体するためのセル解体装置であって、フィルムを下方側に向けた状態でセルを保持する保持部と、セルが保持部で保持される際にフィルムを切断する刃部と、刃部よりも下方側に配置され、切断されたフィルムから流下する試料を受ける試料受部とを備えることを特徴とする。
【００１２】
本発明に係るセル解体装置によれば、Ｘ線透過性を有するフィルムを下方側に向けた状態のセルを保持部が保持する際に、保持されたセルのフィルムを刃部が切断する。そして、刃部よりも下方側に配置される試料受部が、切断されたフィルムから重力により流下する試料を受ける。これにより、セルを保持部で保持することにより、自然と、セル（フィルム）から試料を分離することができる。
【００１３】
また、本発明に係るセル解体装置においては、保持部は、セルを下方側から支持する支持部と、支持されたセルが側方に移動するのを防止すべく、セルを側方側から係止する係止部とを備えてもよい。
【００１４】
斯かる構成のセル解体装置によれば、支持部がセルを下方側から支持すると共に、係止部がセルを側方側から係止するため、支持されたセルが側方に移動するのを防止できる。これにより、セルが位置ずれするのを防止できるため、試料受部で確実に試料を受けることができる。
【００１５】
また、本発明に係るセル解体装置においては、刃部は、切断されたフィルムの一部が下方側に向けて垂れるべく、有端であって、且つ湾曲状又は屈曲状に形成されてもよい。
【００１６】
斯かる構成のセル解体装置によれば、刃部が有端に形成されると共に、湾曲状又は屈曲状に形成されるため、切断されたフィルムの一部が重力により下方側に向けて垂れる。これにより、試料を流下するための開口がフィルムに形成されるため、試料がフィルムから確実に流下できる。しかも、切断されたフィルムの部位が他の部位から分離するのを防止できるため、流下した試料にフィルムの一部が混入することも防止できる。
【発明の効果】
【００１７】
以上の如く、本発明に係るセル解体装置によれば、セルを保持部で保持することにより、自然と、セルから試料を分離することができるため、セルを解体する作業を簡素化できるという優れた効果を奏する。
【図面の簡単な説明】
【００１８】
【図１】本発明の一実施形態に係るセル解体装置の全体図であって、分解斜視図を示す。
【図２】同実施形態に係るセル解体装置の全体図であって、分解断面図を示す。
【図３】同実施形態に係るセル解体装置における図２のＡ領域の拡大概要図であって、（ａ）は断面図、（ｂ）は上面図を示す。
【図４】同実施形態に係るセル解体装置の要部概要図であって、（ａ）〜（ｃ）は刃部材の装着状況を説明する上面図をそれぞれ示す。
【図５】同実施形態に係るセル解体装置で解体するセルの全体図であって、（ａ）及び（ｂ）はセルの組立状況を説明する断面図をそれぞれ示す。
【図６】同実施形態に係るセル解体装置で解体するセルの全体図であって、（ａ）及び（ｂ）はセルの組立状況を説明する断面図をそれぞれ示す。
【図７】同実施形態に係るセル解体装置で解体するセルの全体図であって、（ａ）及び（ｂ）はセルの組立状況を説明する断面図をそれぞれ示す。
【図８】同実施形態に係るセル解体装置で解体するセルの全体図であって、（ａ）及び（ｂ）はセルの組立状況を説明する断面図をそれぞれ示す。
【図９】同実施形態に係るセル解体装置の要部概要図であって、（ａ）及び（ｂ）はセルの解体状況を説明する断面図をそれぞれ示す。
【図１０】同実施形態に係るセル解体装置の要部概要図であって、（ａ）及び（ｂ）はセルの解体状況を説明する断面図をそれぞれ示す。
【図１１】同実施形態に係るセル解体装置の要部概要図であって、（ａ）及び（ｂ）はセルの解体状況を説明する断面図をそれぞれ示す。
【図１２】同実施形態に係るセル解体装置で解体する他のセルの全体図であって、（ａ）は分解断面図、（ｂ）は組立断面図を示す。
【図１３】従来におけるセルの全体図であって、（ａ）は蛍光Ｘ線分析装置で分析される際の断面図、（ｂ）は拡大断面図を示す。
【発明を実施するための形態】
【００１９】
以下、本発明に係るセル解体装置における一実施形態について、図１〜図１１を参酌して説明する。なお、図１〜図１１において、図１３の符号と同一の符号を付した部分は、従来技術と同一の構成又は要素を表す。
【００２０】
図１〜図３に示すように、本実施形態に係るセル解体装置１は、第２フィルム３２を下方側に向けた状態でセル３を保持する保持部１１と、セル３が保持部１１で保持される際に第２フィルム３２を切断する刃部材１２と、刃部材１２よりも下方側に配置され、切断された第２フィルム３２から流下する試料Ｓを受ける試料受部１３とを備える。
【００２１】
そして、セル解体装置１は、保持部１１がセル３を傾斜させて保持するための装置本体１４を備える。また、セル解体装置１は、セル本体３３からフィルム固定体３４を取り外すための取外部材１５と、取外部材１５と嵌合し取外部材１５を覆う蓋部材１６とを備える。
【００２２】
保持部１１は、セル３を下方側から支持する支持部１１１を備える。また、保持部１１は、支持部１１１で支持されたセル３が側方に移動するのを防止すべく、セル３を側方側から係止する係止部１１２を備える。
【００２３】
支持部１１１は、円環状に形成されると共に、外径がセル本体３３の一端（下端）の外径と略同一となるように形成される。そして、支持部１１１は、セル３を支持する際に、全周に亘ってセル３と当接する。また、支持部１１１は、係止部１１２よりも下方側に配置される。さらに、支持部１１１は、内周部に、刃部材１２を取り付けるための溝状の刃取付部１１１ａを備える。
【００２４】
係止部１１２は、円環状に形成されると共に、内径がフィルム固定体３４の外径と略同一となるように形成される。そして、係止部１１２は、セル３に挿入される。また、係止部１１２は、支持部１１１を囲うように、支持部１１１よりも外方に配置される。
【００２５】
刃部材１２は、上縁が鋭利な板状に立設され（セル３が係止部１１２に挿入する方向に沿って立設され）、第２フィルム３２を切断する刃部１２１と、刃部１２１と直交する方向へ板状に延設され、先端が支持部１１１の刃取付部１１１ａに取り付けられる取付部１２２とを備える。なお、刃部材１２は、０．５ｍｍ程度の厚さを有する金属板を加工して形成されている。
【００２６】
刃部１２１は、第２フィルム３２の切断を容易にすべく、上方に向けて尖って形成される尖り部１２１ａ，１２１ａを備える。また、刃部１２１は、上下方向における中間に、貫通孔１２１ｂ，１２１ｂを備える。
【００２７】
そして、刃部１２１は、切断された第２フィルム３２の一部が下方側に向けて垂れるべく、有端であって、且つ屈曲（湾曲）して形成される。具体的には、刃部１２１は、一対の直線状に形成される部位を備え、該部位同士は、傾斜して交差するように配置される。より具体的には、刃部１２１は、略Ｖ字状に形成される。
【００２８】
ところで、図４（ａ）に示すように、刃部材１２は、直線状に形成される部位同士が接近するよう（Ｂ矢印方向）に付勢されると、図４（ｂ）に示すように、支持部１１１に入り込むことが可能な大きさに弾性変形する。そして、刃部材１２は、当該付勢を維持された状態で、支持部１１１に入り込むよう（Ｃ矢印方向）に移動される。
【００２９】
その後、当該付勢を解除されると、図４（ｃ）に示すように、直線状に形成される部位同士が離反する（Ｄ矢印方向）ように復元し、取付部１２２が刃取付部１１１ａ（図４において図示していない）に嵌り込むため、刃部材１２が支持部１１１に取り付けられる。このように、刃部材１２は、弾性変形することにより、支持部１１１に着脱可能に構成されている。
【００３０】
図１〜図３に戻り、試料受部１３は、試料Ｓを貯める容器（ボトル）１３１と、第２フィルム３２から流下する試料Ｓを容器１３１へ案内する案内部１３２とを備える。そして、案内部１３２は、支持部１１１に対応して凹状に形成される凹状部１３２ａと、一端部が凹状部１３２ａに連結され且つ他端部が容器１３１に挿入されることにより、凹状部１３２ａ及び容器１３１を連通させる管状部１３２ｂとを備える。
【００３１】
装置本体１４は、容器１３１に載置される一対の棒部材１４１，１４１と、容器１３１の口部を封止すべく、容器１３１の口部に当接される封止部１４２と、封止部１４２とにより容器１３１を挟持すべく、容器１３１の底部を付勢する付勢手段１４３とを備える。そして、付勢手段１４３は、付勢するための弾性体１４３ａと、固定されるための固定具（ナット）１４３ｂとを備える。
【００３２】
取外部材１５は、筒状に形成される。そして、取外部材１５は、外周部で且つ一端側にフランジ部１５１を備えると共に、内周部で且つ中間部に環状の突起部１５２を備える。ここで、取外部材１５は、突起部１５２が設けられる部位の内径がセル本体３３の外径（フィルム固定体３４の内径）よりも大きく且つフィルム固定体３４の外径よりも小さくなるように形成される一方、他端側の部位の内径がフィルム固定体３４の外径よりも大きくなるように形成される。
【００３３】
ところで、セル解体装置１は、係止部１１２として機能する開口を有する第１部材１ａと、支持部１１１として機能する環状突起を有する第２部材１ｂとを備える。そして、第２部材１ｂは、下面が封止部１４２として機能し、下面に管状部１３２ｂとして機能する管材が固定される。
【００３４】
本実施形態に係るセル解体装置１の構成については以上の通りであり、次に、本実施形態に係るセル３の組立方法及び解体方法について図５〜図１１を参酌して説明する。
【００３５】
まず、図５（ａ）に示すように、セル本体３３の一端が上向きとなるように、セル保持部材４に設けられる凸状の基部４１に、セル本体３３を嵌めて保持する。そして、基部４１（セル本体３３）を挟むように一対配設される棒状のフィルム支持部４２，４２と、セル本体３３の一端とに跨るように、第１フィルム３１を載置する。これにより、第１フィルム３１がセル本体３３の一端を覆うように配置される。なお、フィルム支持部４２，４２は、本実施形態においては、丸棒を屈曲して略コ字状に形成されているが、板状に形成されてもよく、また、円筒形状に形成されてもよい。
【００３６】
その後、セル本体３３を、第１フィルム３１ごと、環状に形成されるフィルム仮止部材５の内部に通過させる。これにより、図５（ｂ）に示すように、フィルム仮止部材５がセル本体３３よりも下方側で第１フィルム３１を仮止めすることにより、第１フィルム３１がセル本体３３の一端及び外周面に沿って配置される。このとき、第１フィルム３１がフィルム支持部４２，４２により安定した状態で載置されていたため、変形により発生する第１フィルム３１のシワが均一となっている。
【００３７】
そして、筒状の押込部材６の内部に設けられる環状突起部６１を、セル本体３３の内部に挿入すると、図６（ａ）に示すように、第１フィルム３１が環状突起部６１によりセル本体３３の内部へ押し込まれ、凹状に変形する。なお、セル保持部材４の基部４１から突出する凸部４３により、第１フィルム３１は、セル本体３３の内部において、凹凸状に変形されている。
【００３８】
その後、押込部材６を取り外し、図６（ｂ）に示すように、凹凸状に変形された第１フィルム３１に、試料Ｓを注ぎ込む。そして、図７（ａ）に示すように、第２フィルム３２を、セル本体３３の一端と、一対のフィルム支持部４２，４２とに跨らせて、第１フィルム３１の上に載置する。さらに、図７（ｂ）に示すように、フィルム固定体３４の他端を、セル本体３３の一端に嵌める。
【００３９】
そして、図８（ａ）に示すように、押込部材６の端部６２がフィルム固定体３４のフランジ部３４２に当接した状態で、押込部材６を下方に向けて付勢する。これにより、セル本体３３の係合部３３１とフィルム固定体３４の係合部３４１とが係合する位置まで、フィルム固定体３４の内部にセル本体３３を挿入させる。その後、押込部材６を取り外し、図８（ｂ）に示すように、フィルム仮止具５と共に、セル３を取り外すことにより、セル３が組み立てられる。
【００４０】
次に、蛍光Ｘ線分析装置によりセル３内の試料Ｓが分析された後には、セル３（フィルム３１，３２）から試料Ｓを分離して分別廃棄（分別処理）させる必要がある。そこで、図９（ａ）に示すように、セル３を、第２フィルム３２を下方側にして、係止部１１２の内部に挿入すると、図９（ｂ）に示すように、刃部材１２が略Ｖ字状の刃部１２１で第２フィルム３２を切断する。
【００４１】
すると、略Ｖ字状に切断された第２フィルム３２の切断片３２１が、重力により、下方側に向けて垂れるため、試料Ｓが自然流下するための開口が形成される。そして、セル３を保持部１１で保持させることにより、試料Ｓは、第２フィルム３２に形成された開口と、案内部１３２とを介して（矢印Ｅのように）、容器１３１内に流下するため、各フィルム３１，３２から自然と分離される。
【００４２】
そして、図１０（ａ）に示すように、取外部材１５の突起部１５２がフィルム固定体３４のフランジ部３４２に当接した状態で、取外部材１５を下方に向けて付勢する。これにより、図１０（ｂ）に示すように、セル本体３３の係合部３３１とフィルム固定体３４の係合部３４１との係合が解除され、フィルム固定体３４が下方に移動する。このとき、フィルム固定体３４の一端（下端）が、セル本体３３の一端（下端）よりも下方側に位置している。
【００４３】
そして、図１１（ａ）に示すように、蓋部材１６を取り外した後、セル本体３３をフィルム固定体３４から取り外す。さらに、各フィルム３１，３２を取り外した後、図１１（ｂ）に示すように、取外部材１５、フィルム固定体３４を順に取り外すことにより、セル３が解体される。
【００４４】
以上より、本実施形態に係るセル解体装置１は、第２フィルム３２を下方側に向けた状態のセル３を保持部１１で保持する際に、刃部材１２の刃部１２１で第２フィルム３２を切断する。そして、切断されて形成された第２フィルム３２の開口から試料Ｓが流下するため、刃部１２１よりも下方側に配置される試料受部１３が試料Ｓを受ける。これにより、保持部１１がセル３を保持することで、セル３から試料Ｓを自然と排出することができるため、セル３を解体する作業を簡素化できる。
【００４５】
また、本実施形態に係るセル解体装置１は、支持部１１１がセル３を下方側から支持すると共に、係止部１１２がセル３を側方側から係止するため、支持されたセル３が側方に移動するのを防止できる。これにより、セル３が位置ずれするのを防止できるため、試料受部１３で確実に試料Ｓを受けることができる。
【００４６】
また、本実施形態に係るセル解体装置１は、刃部１２１が有端であって屈曲状（湾曲状）に形成されるため、第２フィルム３２の切断片３２１が重力により下方側に向けて垂れる。したがって、試料Ｓを流下するための開口をフィルムに形成することができるため、試料Ｓが第２フィルム３２の開口から確実に流下できる。しかも、切断片３２１が第２フィルム３２から分離することもないため、流下した試料Ｓに第２フィルム３２の一部（切断片３２１）が混入することも防止できる。
【００４７】
また、本実施形態に係るセル装置１は、保持部１１でセル３を保持した状態で、セル３から試料Ｓを分離できると共に、さらに、保持部１１でセル３を保持した状態で、セル本体３３とフィルム固定体３４との係合を解除することができる。したがって、セル３から試料Ｓを分離することと、セル３を解体することとを連続的に行うことができるため、分析後の処理作業を簡素化することができる。
【００４８】
なお、本発明に係るセル解体装置は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４９】
例えば、上記実施形態に係るセル解体装置１においては、２枚のフィルム３１，３２と、セル本体３３と、フィルム固定体３４から構成されるセル３を解体する場合を説明したが、斯かる場合に限られない。例えば、図１２に示すように、セル７は、１枚のフィルム７１と、試料Ｓを収容する凹部７２１を有するセル本体７２と、セル本体７２とによりフィルム７１を固定するフィルム固定体７３とを備え、フィルム７１とセル本体７２とにより試料室７ａを形成する場合でもよい。
【００５０】
また、セルは、密閉された試料室３ａ，７ａを有する場合に限られず、開放された試料室を有する場合でもよく、さらには、円形状に形成される場合に限られず、例えば、角形状に形成される場合でもよい。要するに、セルは、Ｘ線透過性を有するフィルムで、液状の試料Ｓを収容する試料室の少なくとも一部を形成していればよい。
【００５１】
また、上記実施形態に係るセル解体装置１においては、保持部１１がセル３を斜めの状態で保持する場合を説明したが、斯かる場合に限られず、例えば、保持部がセル３を水平な状態で保持する場合でもよい。
【００５２】
また、上記実施形態に係るセル解体装置１においては、支持部１１１が連続した環状に形成される場合を説明したが、斯かる場合に限られない。例えば、支持部は、２点支持や３点支持により、セル３を下方側から支持する場合でもよく、また、断続した環状に形成される場合でもよい。
【００５３】
また、上記実施形態に係るセル解体装置１においては、係止部１１２が連続した環状に形成される場合を説明したが、斯かる場合に限られない。例えば、係止部は、複数の箇所でセル３を係止することにより、セル３が側方に移動するのを防止するように構成される場合でもよく、また、断続した環状に形成される場合でもよい。
【００５４】
また、上記実施形態に係るセル解体装置１においては、セル本体３３とフィルム固定体３４との係合を解除する際に、支持部１１１がセル本体３３のみと当接し、フィルム固定体３４の一端（下端）が、セル本体３３の一端（下端）よりも下方側に位置する場合を説明したが、斯かる場合に限れない。例えば、セル本体３３とフィルム固定体３４との係合を解除する際に、支持部は、セル本体３３だけでなくフィルム固定体３４とも当接するような大きさに形成される場合でもよい。
【００５５】
また、上記実施形態に係るセル解体装置１においては、刃部材１２が金属板を加工して形成される場合を説明したが、斯かる場合に限られない。例えば、刃部材は、プラスチック等の硬質樹脂から形成される場合でもよく、要するに、フィルム３２を切断可能に構成されていればよい。
【００５６】
また、上記実施形態に係るセル解体装置１においては、刃部１２１が略Ｖ字状に形成される場合を説明したが、斯かる場合に限られない。例えば、刃部は、略Ｕ字状に形成される場合でもよく、また、略Ｗ字状に形成される場合でもよい。さらには、刃部は、直線状に形成される場合でもよく、円形状や楕円形状といった無端形状に形成される場合でもよい。
【００５７】
また、上記実施形態に係るセル解体装置１においては、刃部１２１が二つの尖り部１２１ａと二つの貫通孔１２１ｂを有する場合を説明したが、斯かる場合に限られない。例えば、刃部は、尖り部を有していない場合や、尖り部を一つ又は三つ以上備える場合でもよく、そして、貫通孔を有していない場合や、貫通孔を一つ又は三つ以上備える場合でもよい。
【００５８】
また、上記実施形態に係るセル解体装置１においては、試料受部１３が、容器１３１と、凹状部１３２ａ及び管状部１３２ｂからなる案内部１３２とからなる場合を説明したが、斯かる場合に限られない。例えば、試料受部は、床や机等の上に載置した容器と、容器に向けて試料Ｓを案内するチューブとからなる場合でもよい。要するに、試料受部は、セル３から排出された試料Ｓを受けることができるように構成されていればよい。
【００５９】
また、上記実施形態に係るセル解体装置１においては、取付部材１５と蓋部材１６とが別部材からなる場合を説明したが、斯かる場合に限られず、取付部材と蓋部材とが一体となった部材を備える場合でもよく、また、取付部材と蓋部材とがヒンジ機構により連結されている場合でもよい。
【符号の説明】
【００６０】
１…セル解体装置、３…セル、３ａ…試料室、３１，３２…フィルム、１１…保持部、１２１…刃部、１３…試料受部、１１１…支持部、１１２…係止部、Ｓ…試料
【図１】
2010256202.tif 000003
【図２】
2010256202.tif 000004
【図３】
2010256202.tif 000005
【図４】
2010256202.tif 000006
【図５】
2010256202.tif 000007
【図６】
2010256202.tif 000008
【図７】
2010256202.tif 000009
【図８】
2010256202.tif 000010
【図９】
2010256202.tif 000011
【図１０】
2010256202.tif 000012
【図１１】
2010256202.tif 000013
【図１２】
2010256202.tif 000014
【図１３】
2010256202.tif 000015